(57)【要約】      （修正有）【課題】不使用時に倒れても粘着シートロールの粘着面が床面に貼り付くことがない粘着式クリーナを提供する。【解決手段】粘着式クリーナ１の本体２は、柄部３と、その先端に回転自在に取り付けられ、粘着シートロール５が装着される支持ローラ４とから成る。不使用時には、粘着シートロール５はカバー６により被着される。支持ローラ４の先端部には、支持ローラ４の外径よりも小さい挿入部４ｂが形成されている。カバー６は粘着シートロール５を覆う筒体であり、内面に凸条部が設けられている。底部６ｂに粘着シートロール５が抜け出ないようにする閉止部６ｃが設けられ、その内縁には挿入部４ｂが嵌入される支持部６ｄが形成されている。カバー６を粘着シートロール５に被着すると、支持ローラ４の挿入部４ｂがカバー６の支持部６ｄに嵌合し、粘着シートロール５は所定の位置でカバー６により固定される。【選択図】図４
0003222828.tif 000002
【実用新案登録請求の範囲】
【請求項１】
柄部に対して回転自在に支持される支持ローラの外周に、円筒状の粘着シートロールを着脱自在に装着した本体部を有する粘着式クリーナであって、
前記粘着シートロールを覆う円筒状のカバーが、前記本体部に対して着脱自在に設けられていることを特徴とする粘着式クリーナ。
【請求項２】
前記カバーの内面には長手方向に沿って多数の凸条部が形成されていることを特徴とする請求項１に記載の粘着式クリーナ。
【請求項３】
前記カバーの一方の端部に支持部を設け、該支持部の内周に前記本体部の先端の挿入部が嵌合することにより、前記カバーを前記本体部に取り付けることを特徴とする請求項１又は２に記載の粘着式クリーナ。
【請求項４】
前記支持部は、前記カバーの内側に該カバーと並行に形成された短筒形状をしていることを特徴とする請求項３に記載の粘着式クリーナ。
【請求項５】
前記支持部には切欠部が配置されていることを特徴とする請求項４に記載の粘着式クリーナ。
【考案の詳細な説明】
【技術分野】
【０００１】
本考案は、多数層の粘着シートが巻回された粘着シートロールを装着して、使用する粘着式クリーナに関するものである。
【背景技術】
【０００２】
衣服、カーテン、絨毯等に付着した塵埃を除去する清掃具として、特許文献１に示すようなハンディタイプの粘着式クリーナが知られている。この粘着式クリーナには、粘着シートロールが回転自在の支持ローラに装着されており、粘着シートロールの粘着面を清掃対象物に当接して転動することで、毛髪や細かい塵埃等を、粘着面に付着させて捕捉することができる。
【先行技術文献】
【特許文献】
【０００３】
【特許文献１】特開２００２−３１５７１８号公報
【考案の概要】
【考案が解決しようとする課題】
【０００４】
特許文献１に示すように、短いグリップと略平行に粘着シートロールを配置した粘着式クリーナは、グリップの後端に設けた吊下部をフックに引っ掛けることで粘着シートロールの先端を床面に向けて吊下げて保管できる。
【０００５】
しかし、フックがない場所では吊下げて保管することができず、たとえフックに吊下げて保管できたとしても、フックの設けた場所によっては粘着シートロールが壁面等に貼り付いてしまうという問題がある。
【０００６】
また、粘着シートロールの先端を床面に置く縦置きをすると倒れ易く、倒れてしまうと粘着シートロールの粘着面が床面に貼り付いてしまうという問題もある。
【０００７】
本考案の目的は、上述の課題を解消し、保管が容易で、保管中に倒れても粘着シートロールが床面に貼り付くことがない粘着式クリーナを提供することにある。
【課題を解決するための手段】
【０００８】
上記目的を達成するための本考案に係る粘着式クリーナは、柄部に対して回転自在に支持される支持ローラの外周に、円筒状の粘着シートロールを着脱自在に装着した本体部を有する粘着式クリーナであって、前記粘着シートロールを覆う円筒状のカバーが、前記本体部に対して着脱自在に設けられていることを特徴とする。
【考案の効果】
【０００９】
本考案に係る粘着式クリーナによれば、粘着シートロールを備える本体部を、カバーに挿入するだけで、容易に本体部にカバーを取り付けることができる。また、フック等に吊下げて保管しても、カバーが本体部から抜け落ちることはなく、また多少の衝撃がカバーに加わっても、カバーが本体部から外れることもない。
【００１０】
カバーの装着時には、粘着シートロールはカバーにより覆われているので、粘着面が床などに貼り付くことはなく、粘着式クリーナを横置き等の自由な姿勢で保管することができる。また、カバーの存在により粘着シートロールの粘着面に空中の塵埃が付着することもない。
【図面の簡単な説明】
【００１１】
【図１】カバーを外した状態の粘着式クリーナの斜視図である。
【図２】カバーを取り付けた状態の断面図である。
【図３】上方から見た分解斜視図である。
【図４】下方から見た分解斜視図である。
【図５】カバーを取り付けた状態の上方から見た斜視図である。
【図６】カバーを取り付けた状態の下方から見た斜視図である。
【考案を実施するための形態】
【００１２】
本考案を図示の実施例に基づいて詳細に説明する。
図１はカバーを外した状態のハンディタイプの粘着式クリーナの斜視図、図２はカバーを取り付けた状態の断面図、図３、図４はそれぞれ上方、下方から見た分解斜視図である。
【００１３】
粘着式クリーナ１の本体２は、合成樹脂材から成る短い柄部３と、柄部３の先端に回転自在に取り付けられた合成樹脂製の支持ローラ４とから成っている。また、支持ローラ４の周囲には円筒状の粘着シートロール５が着脱自在に装着される。
【００１４】
この粘着式クリーナ１の不使用時には、図２、図５、図６に示すように、粘着シートロール５を支持ローラ４に装着したまま、カバー６により被着されている。
【００１５】
柄部３は不使用時にフック等に引っ掛けておく孔部３ａを有している。支持ローラ４は柄部３に対し回転自在の機構を有し、粘着シートロール５を外側から装着するに適した径を有し、更に支持ローラ４には粘着シートロール５を内側から径方向に弾性的に付勢して保持するための弾性部４ａが設けられている。また、支持ローラ４の先端部には、支持ローラ４の外径よりも小径の短円柱状の挿入部４ｂが形成されている。
【００１６】
粘着シートロール５は硬質の芯筒５ａの周囲に、外面を粘着層とした長尺の粘着シート５ｂが多数層に渡って巻回されている。
【００１７】
カバー６は粘着シートロール５を外側から覆う合成樹脂材から成る筒体であり、内面には長手方向に沿って、多数の凸条部６ａが設けられている。また、カバー６の一方の端部、つまり図４に示す底部６ｂには、粘着シートロール５を装着した際に、粘着シートロール５の端部が突き当たって、抜け出ないようにするための閉止部６ｃがフランジ状に設けられている。
【００１８】
更に、円環状の閉止部６ｃの内縁には、支持ローラ４の挿入部４ｂが嵌入され、粘着シートロール５を正常な位置に位置決め固定するための短筒状の支持部６ｄがカバー６の内側にカバー６と並行に形成されている。また、薄板状の支持部６ｄには、後述する支持部６ｄの内周に挿入部４ｂが嵌合した際に、支持部６ｄが変形し易いように適所に切欠部６ｅが配置されている。
【００１９】
この粘着式クリーナ１の使用に際しては、カバー６を外して使用する。なお、カバー６の内面には等間隔に凸条部６ａが設けられているので、粘着シートロール５の粘着面がカバー６の内面に密着して、カバー６が外れなくなるようなことはない。
【００２０】
柄部３を手で把持し、粘着シートロール５を清掃すべき対象物、例えば衣服に当接して転動すると、粘着面により衣服に付着している塵埃を捕捉する。このとき、粘着シートロール５は支持ローラ４に弾性的に装着されており、支持ローラ４と共に回転するので、手軽に周囲の被清掃物を清掃できる。
【００２１】
使用につれ、粘着シートロール５に塵埃が付着して表面層の粘着性が低下した場合には、粘着シートロール５の最上層の１周分を剥がして、下層の新たな粘着面を使用すればよい。更に、１個の粘着シートロール５を使い終われば、新たな粘着シートロール５を装着して使用する。
【００２２】
粘着式クリーナ１の不使用時には、粘着シートロール５を支持ローラ４に装着して取り付けたままで、図２、図５、図６に示すように、カバー６を本体部２に取り付ける。カバー６内に本体部２を挿入する際には、カバー６内の多数の凸条部６ａにより、粘着シートロール５の粘着面がカバー６の内面に密着することはない。
【００２３】
そして、柄部３により粘着シートロール５をカバー６に十分に深く装着することにより、粘着シートロール５をカバー６が覆い、支持ローラ４の挿入部４ｂがカバー６の支持部６ｄに嵌合する。
【００２４】
挿入部４ｂが支持部６ｄを若干、押し拡げて嵌合することで、フック等に吊下げて保管しても、カバー６が本体部２から抜け落ちることはなく、また多少の衝撃がカバー６に加わっても、カバー６が本体部２から外れることもない。
【００２５】
また、挿入部４ｂが支持部６ｄに嵌合して、本体部２がカバー６に固定されることで、粘着シートロール５の粘着面がカバー６の内面に当接することなく、粘着シートロール５は所定の位置で、カバー６により覆われることになる。そして、必要に応じてカバー６から本体部２を引き抜いて使用することができる。
【００２６】
このように、本考案に係る粘着式クリーナ１によれば、粘着シートロール５を備える本体部２を、カバー６に挿入するだけで、容易に本体部２にカバー６を取り付けることができる。カバー６の装着時には、粘着シートロール５はカバー６により覆われているので、粘着面が床などに貼り付くことはなく、粘着式クリーナ１を横置き等の自由な姿勢で保管することができる。
【００２７】
また、不使用時においては、カバー６の存在により粘着シートロール５の粘着面に空中の塵埃が付着することもない。
【符号の説明】
【００２８】
１  粘着式クリーナ
２  本体
３  柄部
４  支持ローラ
５  粘着シートロール
６  カバー
【図１】
0003222828.tif 000003
【図２】
0003222828.tif 000004
【図３】
0003222828.tif 000005
【図４】
0003222828.tif 000006
【図５】
0003222828.tif 000007
【図６】
0003222828.tif 000008